(57)【要約】      （修正有）【課題】ある程度の個人差や、人の年齢、体調、または気温などによる変化を考慮し、人の足指裏の付根に刺激を与える突起物の位置を人の手で容易に調整することが可能な中敷きを提供する。【解決手段】履物の中敷き１は、中敷き１の基板１１と、基板１１の上面１１ａに形成された複数の孔部１２−１〜１２−７と、複数の孔部１２−１〜１２−７を覆う伸縮自在のネット１３と、何れかの孔部１２−１〜１２−７とネット１３との間に挟まれて保持される球体１４−１〜１４−５と、を備えて構成される。球体１４−１〜１４−５は、足指裏の付根に対向する孔部１２−１〜１２−７に、一部分が収まり、且つ孔部が形成された上面１１ａから他部分が突出するように保持され、ネット１３上から人の手で移動可能になっている。【選択図】図１
0003213147.tif 000002
【実用新案登録請求の範囲】
【請求項１】
履物の中敷きの基板と、
前記基板の面であって前記履物を履く人の足裏が接する面のうちの爪先側の面に形成された複数の孔部と、
前記基板に固定されるネットであって前記複数の孔部を覆う伸縮自在のネットと、
何れかの前記孔部と前記ネットとの間に挟まれて保持される球体であって前記孔部の数より少ない数の球体と、
を備え、
前記球体は、前記人の足の親指、人差し指、中指、薬指、及び小指の少なくとも何れか１つの指の裏の付根に対向する前記孔部に前記球体の一部分が収まり、且つ前記孔部が形成された前記面から前記球体の他部分が突出するように保持され、
さらに、前記球体は、前記球体の一部分が収まっている前記孔部から他の前記孔部へ、前記ネット上から前記人の手で移動可能になっていることを特徴とする履物の中敷き。
【請求項２】
前記複数の孔部は、前記基板の面において碁盤の目状に形成されることを特徴とする請求項１に記載の履物の中敷き。
【請求項３】
前記球体は、人の足の親指、人差し指、中指、薬指、及び小指のそれぞれの指の裏の付根に対向する前記孔部に収まることを特徴とする請求項１または２に記載の履物の中敷き。
【請求項４】
前記親指、前記人差し指、及び前記中指に対応する前記球体の直径は５ｍｍ〜７ｍｍであり、前記薬指及び前記小指に対応する前記球体の直径は３ｍｍ〜５ｍｍであることを特徴とする請求項３に記載の履物の中敷き。
【考案の詳細な説明】
【技術分野】
【０００１】
本考案は、着脱が容易にでき、足裏のつぼに対して指圧効果を提供する履物の中敷きの技術分野に関する。
【背景技術】
【０００２】
従来、特許文献１に開示されるように、人の５本の足指のそれぞれの付根の裏側につぼが存在することに鑑み、足指の付け根に対して着脱自在に装着されるリング体と、該リング体における足裏側に設けられた球状の突起物とによって構成された指圧装置が提案されている。さらに、特許文献２に開示されるように、着脱が容易にでき、日常的に足指裏の付根の指圧つぼに対して指圧効果を発揮する中敷きが提案されている。
【先行技術文献】
【特許文献】
【０００３】
【特許文献１】特開２０１０−１６２０５２号公報
【特許文献２】実用新案登録第３１８７７５６号公報
【考案の概要】
【考案が解決しようとする課題】
【０００４】
ところで、人の足のサイズや形には個人差があり、さらには足指裏の付根のつぼの位置にも個人差がある。また、同じ人であっても、年齢、体調、または気温などにより足のサイズや形、さらには足指裏の付根のつぼの位置は変化する。そのため、例えば特許文献２に開示されるように、履物を履く人の足指裏の付根があたる位置に設けられた突起物が中敷基板上に固定されていると、上述した個人差や、年齢、体調、または気温などによる変化に対応できず、足指裏の付根のつぼに対する指圧効果が低減される可能性がある。
【０００５】
そこで、本考案は、以上の点に鑑みてなされたものであり、ある程度の個人差や、人の年齢、体調、または気温などによる変化を考慮し、人の足指裏の付根に刺激を与える突起物の位置を人の手で容易に調整することが可能な中敷きを提供することを目的とする。
【課題を解決するための手段】
【０００６】
上記課題を解決するために、請求項１に記載の考案は、履物の中敷きの基板と、前記基板の面であって前記履物を履く人の足裏が接する面のうちの爪先側の面に形成された複数の孔部と、前記基板に固定されるネットであって前記複数の孔部を覆う伸縮自在のネットと、何れかの前記孔部と前記ネットとの間に挟まれて保持される球体であって前記孔部の数より少ない数の球体と、を備え、前記球体は、前記人の足の親指、人差し指、中指、薬指、及び小指の少なくとも何れか１つの指の裏の付根に対向する前記孔部に前記球体の一部分が収まり、且つ前記孔部が形成された前記面から前記球体の他部分が突出するように保持され、さらに、前記球体は、前記球体の一部分が収まっている前記孔部から他の前記孔部へ、前記ネット上から前記人の手で移動可能になっていることを特徴とする。
【０００７】
請求項２に記載の考案は、請求項１に記載の履物の中敷きにおいて、前記複数の孔部は、前記基板の面において碁盤の目状に形成されることを特徴とする。請求項３に記載の考案は、請求項１または２に記載の履物の中敷きにおいて、前記球体は、人の足の親指、人差し指、中指、薬指、及び小指のそれぞれの指の裏の付根に対向する前記孔部に収まることを特徴とする。請求項４に記載の考案は、請求項３に記載の履物の中敷きにおいて、前記親指、前記人差し指、及び前記中指に対応する前記球体の直径は５ｍｍ〜７ｍｍであり、前記薬指及び前記小指に対応する前記球体の直径は３ｍｍ〜５ｍｍであることを特徴とする。
【考案の効果】
【０００８】
本考案によれば、人の足指裏の付根に刺激を与える突起物の位置を人の手で容易に調整することが可能な中敷きを提供することができる。
【図面の簡単な説明】
【０００９】
【図１】上方から中敷き１を見たときの外観図である。
【図２】図１に示す中敷き１のＡ−Ａ断面図である。
【図３】ネット１３を中敷き１から取り除いた際に上方から中敷き１を見たときの外観図である。
【図４】人が球体１４-mを移動させる際に上方から中敷き１を見たときの外観図である。
【図５】図４に示す中敷き１のＢ−Ｂ断面図である。
【考案を実施するための形態】
【００１０】
以下、図面を参照して本考案を実施するための形態について説明する。
【００１１】
先ず、図１及び図２等を用いて、本実施形態にかかる履物の中敷き１の構成について説明する。図１は、上方から中敷き１を見たときの外観図であり、図２は、図１に示す中敷き１のＡ−Ａ断面図である。図１に示すように、履物の中敷き１は、中敷き１の基板１１と、基板１１の上面１１ａに形成された複数の孔部１２-n（n＝1,2,3,4,5,6,7・・・・）と、複数の孔部１２-nを覆う伸縮自在のネット（網）１３と、何れかの孔部１２-ｎとネット１３との間に挟まれて保持される球体１４-m（m＝1,2,3,4,5）と、を備えて構成される。なお、図１から分かるように、球体１４-mの数は孔部１２-nの数より少ない。
【００１２】
基板１１は、図２に示すように、上側（つまり、足側）の基板シート１１１と下側（地面側）の基板シート１１２とが重ね合わされた２層構造になっている。なお、基板１１は、３層以上の構造であっても構わない。基板シート１１１，１１２には、衝撃緩衝性のある素材（例えば、繊維、樹脂、革、ゴム等）を採用することができる。
【００１３】
上側の基板シート１１１と下側の基板シート１１２とは接合手段（例えば、接着剤、糸等）により接合される。基板シート１１１の上面（つまり、基板１１の上面）１１ａは、履物を履く人の足裏が接する面となり、基板シート１１２の下面（つまり、基板１１の下面）１１ｂは、履物の内側底面と接する面となる。
【００１４】
基板シート１１１の上面１１ａのうちの爪先側の面に、複数の孔部１２-ｎが形成される。つまり、基板１１を、履物を履く人の爪先部、中央部、及び踵部の３つに区分して考えると、爪先部における面に複数の孔部１２-ｎが形成されることになる。複数の孔部１２-ｎは、ある程度の個人差や、人の年齢、体調、または気温などによる変化に対応可能なように余裕を持った広さの範囲に散りばめられる。
【００１５】
図３は、ネット１３を中敷き１から取り除いた際に上方から中敷き１を見たときの外観図である。図３に示すように、複数の孔部１２-ｎは、基板シート１１１の上面１１ａにおいて碁盤の目状に形成されており、これにより、履物を履く人が、球体１４-mを孔部１２-ｎ間で人の足指裏の付根のつぼに合うようにスムーズに移動させることが可能となる。
【００１６】
なお、各孔部１２-ｎの壁面（つまり、何れか１つの球体１４-mの一部分が接する壁面）は、例えば塗料等により、所定以上の硬度と耐摩耗性を有する皮膜（基板シート１１１の材質より高い硬度の皮膜）が形成されるとよく、これにより、孔部１２-ｎの位置に球体１４-mを留め易く（保持し易く）することができる。
【００１７】
ネット１３は、高復元力を有するゴム（例えば、架橋によって分子鎖同士を結んで網目構造が形成されたゴム）を含んで構成されており、これにより、孔部１２-ｎとの間に挟まれた球体１４-mを強力に保持することができる。なお、ネット１３は、例えば、ネット１３の端部が基板シート１１１と基板シート１１２との接合部分に挟まれることで（このとき、ネット１３の端部はホチキス針や糸等で止められるとよい）、基板１１に固定される。
【００１８】
球体１４-mは、履物を履く人の足の親指、人差し指、中指、薬指、及び小指の少なくとも何れか１つの指（図１の例では、５指全て）の裏の付根（つまり、足指裏の付根）に対向する（つまり、向かい合う）孔部１２-nに、一部分（球体１４-mの直径の１／９〜１／４程度）が収まり（嵌り）、且つ孔部１２-nが形成された上面１１ａから他部分（球体１４-mの直径の８／９〜３／４程度）が突出するように保持される。
【００１９】
これにより、球体１４-mは、履物を履く人の足指裏の付根のつぼに刺激を与える突起物として機能する。球体１４-mは、ネット１３により上から押さえつけられるので、人から水平方向に力が加わらない限り、一部分が孔部１２-nに収まった位置に固定されることになる。このような中敷き１が履物内に挿入された状態で、人が当該履物を履くと、当該人の足からの圧力（つまり、体重）がネット１３を介して球体１４-mに加わるので、球体１４-mは、より一層、孔部１２-nに収まった位置に固定されることになる。
【００２０】
ここで、孔部１２-nが形成された上面１１ａから球体１４-mが突出する高さＨ（図２参照）は、２．５ｍｍ〜６．５ｍｍの範囲内になるように、球体１４-mを選ぶ（つまり、球体の大きさを選定する）とよい。球体１４-mの大きさは、親指、人差し指、中指、薬指、及び小指毎に異なるようにすれば、より効果的である。例えば、親指、人差し指、及び中指に対応する球体１４-mの直径は５ｍｍ〜７ｍｍとし、薬指及び小指に対応する球体１４-mの直径は３ｍｍ〜５ｍｍとする。
【００２１】
なお、球体１４-mの素材としては、例えば、プラスチック、木、ガラス、天然石等が挙げられる。また、球体１４-mは、真球でなくてもよく、また、数珠のように紐を通る穴が空けられていてもよい（数珠を流用してもよい）。
【００２２】
そして、球体１４-mは、その一部分が収まっている孔部１２-ｎから他の孔部１２-ｎへ、ネット１３上から（つまり、ネット１３を介して）、履物を履く人の手で移動可能になっている。例えば、人が指の爪で球体１４-mを少し上方に浮かせつつ水平方向（横方向）にずらすことで球体１４-mが移動する。
【００２３】
図４は、人が球体１４-mを移動させる際に上方から中敷き１を見たときの外観図であり、図５は、図４に示す中敷き１のＢ−Ｂ断面図である。図４及び図５に示す例では、球体１４-1は、孔部１２-10から他の孔部１２-20へ移動されている。このように、球体１４-1は、横方向（左右方向）に移動可能（縦方向（上下方向）にも移動可能）になっている。これは、球体１４-2〜球体１４-5についても同様である。
【００２４】
以上説明したように、本実施形態によれば、ある程度の個人差（例えば足のサイズが１インチ程度の差である場合）や、人の年齢、体調、または気温などによる変化に考慮して、人の足指裏の付根に刺激を与える突起物としての球体１４-mの位置を人の手で容易に調整することができ、その結果、足指裏の付根のつぼに対する指圧効果が低減されることを極力防ぐことができる。
【符号の説明】
【００２５】
１  履物の中敷き
１１  基板
１２-n  孔部
１３  ネット
１４-m  球体
１１１，１１２  基板シート
【図１】
0003213147.tif 000003
【図２】
0003213147.tif 000004
【図３】
0003213147.tif 000005
【図４】
0003213147.tif 000006
【図５】
0003213147.tif 000007